(57)【要約】【課題】  折ることが可能な、紙に対して高められた形状安定性を有する包装材料から成るブランクの製造を更に発展させるとともに、特にアプリケーション（打出し、打抜き）の実行における精度を改善すること。【解決手段】  折ることが可能なパッケージの製造のための方法において、製造されるべきパッケージの外側の外観に対応する印刷が、薄い板紙又はこれに類するものから成る連続した材料帯３４に施され、次に、前記ブランクが前記材料帯３４から位置的に正確に分離され、その後、特に打出し及び／又は打抜きである（別の）複数のアプリケーションが前記ブランクに施され、最後に、完全なものとされた前記ブランクが特に折りタレット３１である包装設備に供給される。
2014526400.tif 000002
【特許請求の範囲】
【請求項１】
特に直方体状の（タバコ）パッケージである、（薄い）板紙から成る少なくとも１つのブランク（１０）を有する、折ることが可能なパッケージの製造のための方法であって、前記ブランクが、材料帯（３４）から分離されるとともに特に打出しによって形成された複数の折り線及び／又は複数の打抜き線及び／又は複数のミシン目線及び／又は（装飾的な）材料変形及び／又は（多色の）印刷である複数のアプリケーションを備えている、前記方法において、
以下の特徴：
ａ）製造されるべきパッケージの外側の外観に対応する印刷が、薄い板紙又はこれに類するものから成る連続した材料帯（３４）に施され、
ｂ）次に、前記ブランク（１０）が前記材料帯（３４）から位置的に正確に分離され、
ｃ）その後、特に打出し及び／又は打抜きである（別の）複数のアプリケーションが前記ブランク（１０）に施され、
ｄ）最後に、完全なものとされた前記ブランク（１０）が特に折りタレット（３１）である包装設備に供給される
により特徴付けられた方法。
【請求項２】
前記アプリケーションが、特に前記ブランク（１０）の製造後にまず材料変形がなされ、特に線状の打出し（２５，２６）が複数の折り片に対して施され、次いで、特に前記折り片（２４）の画成のための複数の切断線（２９）及び／又は折り線（２７，２８）としての前記ミシン目線である打抜きがなされるよう、互いに連続した作業ステップにおいて前記ブランク（１０）に施されることを特徴とする請求項１記載の方法。
【請求項３】
特に複数の折りエッジ部（２５，２６）の形成のための材料変形である打出しが、前記ブランク（１０）の内側において、印刷のために対向する側で、好ましくは（印刷されていない）内側に作用する打出し工具及び平滑面状のカウンタ部材を用いてなされることを特徴とする請求項１又は２記載の方法。
【請求項４】
以下の特徴：
ａ）前記材料帯（３４）からの前記ブランク（１０）の分離が印刷マーカによって制御可能であり、
ｂ）アプリケーション設備（３７）の範囲での分離された前記ブランク（１０）におけるアプリケーションの実行が、（横方向へ向いた）ブランクエッジ部の検出によって制御可能である
により特徴付けられた請求項１〜３のいずれか１項に記載の方法。
【請求項５】
前記ブランク（１０）におけるアプリケーションが、特に（第１の）作業ステーションにおける材料変形（打出し）によって生じたアプリケーション及び個別の（第２の）作業ステーションにおける分離切断あるいは打ち抜きによって製造されるよう、いわゆる連続してつづく作業ステーションにおいてなされることを特徴とする請求項１〜４のいずれか１項に記載の方法。
【請求項６】
特に直方体状の（タバコ）パッケージである、（薄い）板紙から成る少なくとも１つのブランク（１０）を有する、折ることが可能なパッケージの製造のための装置であって、前記ブランクが、材料帯（３４）から分離されるとともに特に打出しによって形成された複数の折り線及び／又は複数の打抜き線及び／又は複数のミシン目線及び／又は（装飾的な）材料変形及び／又は（多色の）印刷である複数のアプリケーションを備えている、前記装置において、
以下の特徴：
ａ）好ましくは完全な印刷によって前記ブランク（１０）のために準備された前記材料帯（３４）のためのガイド部材及び搬送部材、
ｂ）前記材料帯（３４）からの前記ブランク（１０）の分離のための分離設備（３６）、
ｃ）好ましくは特に打出しローラ（５０）及びこれに隣接して配置された切断ローラである、例えば前記ブランク（１０）の搬送方向に連続してつづく２つのアプリケーション工具である複数のアプリケーション工具によって各前記ブランク（１０）においてアプリケーションを施すための前記分離設備（３６）につづくアプリケーション設備（３７）、
ｄ）前記ブランク（１０）を特に折りタレット（３１）である折り装置へ搬送するための別の搬送部材
で特徴付けられた装置。
【請求項７】
以下の特徴：
ａ）前記打出しローラ（５０）が、周囲に沿って分配された、特に前記ブランク（１０）に施されるべき折り目付け及び／又は打出しに対応したリブ（５２）である複数の突出部（５９）あるいは凸部を備えている、
ｂ）好ましくは平滑面状の外面を有する、特にカウンタローラ（５４）であるカウンタ工具が形成されている
によって特徴付けられた請求項６記載の装置。
【請求項８】
前記打出しローラ（５０）に好ましくはつづく前記切断ローラ（５１）が、カウンタローラ（５４）との協働において、貫通する切断線又はミシン目線の形成のために複数の切断カッター（５５）又は複数のミシン目カッター（５６）の構成における複数の突出部を外周において備えていることを特徴とする請求項６又は７記載の装置。
【請求項９】
特に打出しローラ（５０）及び切断ローラ（５１）である前記アプリケーション設備（３７）の複数の部材が、特に共通のカウンタローラ（５４）である共通のカウンタ部材に割り当てられていることを特徴とする請求項６〜８のいずれか１項に記載の装置。
【請求項１０】
特に引渡しローラ（４８）である、前記ブランク（１０）のための前記分離設備（３６）につづく搬送部材が前記分離ユニット（３６）よりも大きな（搬送）速度で駆動されていることと、特に打出しローラ（５０）及び切断ローラ（５１）である後続の前記アプリケーション設備（３７）の複数の部材がここでも前記引渡しローラ（４８）よりも大きな（搬送）速度で駆動されていることとを特徴とする請求項６〜９のいずれか１項に記載の装置。
【請求項１１】
特に吸引ローラとしての構成における供給ローラ（６３）と、この手前に配置された、前記折りタレット（３１）によって受取部へ前記ブランク（１０）を正確に整向するための中間ローラ（６４）とを有する、完全な前記ブランク（１０）を前記折りタレット（３１）へ供給するための引渡しユニットが前記アプリケーション設備（３７）につづいて配置されていることを特徴とする請求項６〜１０のいずれか１項に記載の装置。
【請求項１２】
前記分離ユニット（３６）の複数の前記分離部材（４１，４２）に前記材料帯（３４）の正確な位置決めのための、特に押圧ローラ（４４）を有する帯ローラ（４３）である複数の部材が割り当てられており、該部材あるいは前記帯ローラ（４３）が、好ましくは前記帯ローラ（４３）のためのサーボモータ（４７）による駆動部を介して、前記材料帯（３４）における複数の印刷マーカの検出のための印刷マーカ読取装置（４５）によって制御可能であることを特徴とする請求項６〜１１のいずれか１項に記載の装置。
【請求項１３】
特に吸引ローラとして形成された引渡しローラ（４８）である、前記アプリケーション設備（３７）への分離された前記ブランクの引渡しのための搬送部材に、前記ブランク（１０）の正確な整向のための特にブランクエッジ部の検出のためのエッジセンサ（４９）及びサーボモータ（４７）を介した前記引渡しローラ（４８）の制御部である制御部が割り当てられていることを特徴とする請求項６〜１２のいずれか１項に記載の装置。
【請求項１４】
特に供給ローラ（６３）である、前記折りタレット（３１）への前記ブランク（１０）の供給のための複数の引渡し部材に、好ましくは前記供給ローラの手前に配置された前記中間ローラ（６４）の範囲におけるブランクエッジ部の検出のためのエッジセンサ（６５）である、前記ブランク（１０）の正確な位置決めのための制御ユニットが割り当てられており、前記中間ローラが前記エッジセンサ（６５）によって制御可能なサーボモータ（４７）によって駆動されていることを特徴とする請求項６〜１３のいずれか１項に記載の装置。
【請求項１５】
特に前記分離ユニット（３６）のカッターローラ（４１）及び／又は前記アプリケーション設備（３７）のローラ（５０，５１，５４，６８，６９）及び／又は供給ローラ（６３）である回転可能な搬送部材あるいは作業部材が、前記折りタレット（３１）の範囲において、特に主軸である中央の機械駆動部に結合されていることを特徴とする請求項６〜１４のいずれか１項に記載の装置。
【発明の詳細な説明】
【技術分野】
【０００１】
本発明は、請求項１の前提部分に基づくパッケージの製造のための方法に関するものである。さらに、本発明は、この方法の実行のための装置に関するものでもある。
【背景技術】
【０００２】
製造すべきパッケージは、処理機械あるいは包装機械の範囲において連続した材料帯として供給され、パッケージのための裁断部が切り離される、折ることが可能な包装材料で構成されている。この包装材料は、材料厚さ及び／又は形状安定性に基づき、材料変形によって形成される、折りエッジ部、特にパッケージエッジ部の形成のための折り線を備えている。通常、このことは、１００ｇ／ｍ２（紙）よりもはるかに大きな材料重量を有する包装材料にも当てはまる。優先的に約１４０ｇ／ｍ２以上の材料重量を有する板紙が問題である。この材料から製造されたブランクは、折り片の画成のための打抜き線あるいは切断線及び／又は折り目のためのミシン目線を備えている。このようなブランクは、好ましくは独国特許出願第１０２０１１１０５６９５．９号に基づく例に応じて形成され得る。
【０００３】
連続する帯の材料の処理は、特許文献１の主題である。ブランクの処理に必要なアプリケーションは、連続する帯の範囲において、１つのブランクへの割り当てによって施される。その後、このブランクは、帯から分離され、包装プロセスへ供給される。上述の例は、タバコ用のソフトパッケージの製造に関するものである。板紙ブランクつまりタバコ用の蓋付きの箱から成るパッケージの製造についても連続する帯の処理が知られている（特許文献２）。ここでも、打出し及び打抜きが材料帯の範囲においてなされるとともに、その後、製造されたブランクが帯から分離されるようになされる。これに反し、変形又は打出し、切断及び打抜きは、ブランクの分離の直後にこのブランクにおいて行われる。
【先行技術文献】
【特許文献】
【０００４】
【特許文献１】独国特許発明第６９４００１２０号明細書
【特許文献２】欧州特許第０８８５８０９号明細書
【発明の概要】
【発明が解決しようとする課題】
【０００５】
本発明の課題は、折ることが可能な、紙に対して高められた形状安定性を有する包装材料から成るブランクの製造を更に発展させるとともに、特にアプリケーション（打出し、打抜き）の実行における精度を改善することを基礎とするものである。
【課題を解決するための手段】
【０００６】
上記課題の達成のために、請求項１の特徴部分の特徴を有する本発明に基づく方法が実行される。
【０００７】
本発明は、帯からのブランクの分離の後、より高い精度及びより高い能率でのアプリケーションがこのブランクに施されることができるという認識に基づいている。分離されたブランクは、好ましくは連続してアプリケーション設備へ供給される。その範囲において、印刷マーカにより制御されて折り線が折り片のための打出し及び打抜き切断によって施される。製造されたブランクは、つづいて、特に折りタレットである折り設備へ供給される。目的に応じて、（外側の）印刷がパッケージのデザインに合わせて印刷部の範囲又は包装機械の範囲においてまとまった材料帯になされる。
【０００８】
装置は、材料帯をブランクの分離のための切断部材あるいは打抜き部材への供給のための装置と、ブランクを連続的に好ましくは溝付けローラ及び打出しローラ並びに切断ローラである打出しユニット及び打抜きユニットへの供給のための引渡し設備とによって構成されている。
【０００９】
特徴は、装置の複数の部材の駆動部にある。特に先行ローラ、搬送ローラ、方向転換ローラなどである搬送部材は、個々に制御可能なサーボモータによって駆動される。打出しユニット及び打抜きユニット（アプリケーション設備）は、特に「主軸」である中央の機械駆動部に結合されている。
【図面の簡単な説明】
【００１０】
【図１】（タバコ）パッケージの斜視図である。
【図２】図１に基づくパッケージの詳細、つまり底折り部の斜視図である。
【図３】図１に基づくパッケージの外側カップ部の広げられたブランクの拡大図である。
【図４】ブランクの準備のための設備を有する包装機械の複数の部材を示す図である。
【図５】図４における詳細部分Ｖの拡大図である。
【図６】図５に基づく装置の詳細部分の矢印ＶＩから見た拡大図である。
【図７】溝付けローラ及び打出しローラの展開をブランクと共に示す図である。
【図８】切断ローラの一部の展開を示す図である。
【図９】図５における詳細部分ＩＸの拡大図である。
【図１０】他の実施の図９と同様の図である。
【図１１】図５における詳細部分ＸＩの拡大図である。
【図１２】打出し工具の詳細部分を示す図９及び図１０と同様の図である。
【図１３】変更された実施例に対する図５に対応した包装機械の詳細図である。
【発明を実施するための形態】
【００１１】
方法及び装置の別の特徴は、以下に図面に基づいて詳細に説明される。
【００１２】
本技術は、好ましくは薄い板紙から成る少なくとも１つのブランク１０で構成されるか、あるいはこのブランク１０を備えるパッケージに対して使用することが可能である。特別な応用例は、板紙から成る外側パッケージ１１を有する変更されたソフトパッケージあるいはソフトカップパッケージ（図１）であり、この応用例は、１４０ｇ／ｍ２の材料厚さあるいは材料強度を備えている。図示の例はタバコパッケージであり、このたばこパッケージにおいては、内側ブランクあるいはアルミ箔ブランクを有するタバコ群が閉鎖されたタバコブロック１２を形成している。このタバコブロックは、上側において開放され、かつ、カップ状の外側パッケージ１１内に配置されている。外側パッケージ１１の開放された側において、タバコブロック１２がわずかに外側パッケージ１１から突出している。横方向へ向いた帯封１３がパッケージの端面側にわたって延在している。
【００１３】
図３に示された、広げられたブランク１０は、前側壁部１４と、背側壁部１５と、閉鎖された側壁部１６と、当該縁部片１７，１８によって形成された側壁部１９のための縁部片１７，１８とを形成している。特別には、底壁部２０が形成されている。この底壁部は、台形状の内側片２１と、三角形状の中間片２２と、側壁部１６，１９の範囲における側片２３と、外側の覆い片２４とで構成されており、覆い片は、本質的に底壁部２０の面を外側で覆っている。
【００１４】
図３又は他の実施に基づくブランク１０は多数のアプリケーションを備えている。図示の実施例では、ブランク１０の材料の変形が重要であり、特に長手エッジ部２５の形成のための複数の折り目付けステーション、及び横方向エッジ部２６の形成のための複数の折り目付けが重要である。平行な配置における長手エッジ部２５は、ブランク範囲１４〜１８を画成するとともに、垂直のパッケージエッジ部を形成する。横方向エッジ部２６は、パッケージ壁部１４〜１８の底壁部２０に対する境界を規定するものである。型付けされた線２５，２６は、交差部の範囲で互いに間隔をもって終わっている。そのため、各折り目付けステーションは、所定の長さを備えている。
【００１５】
他のアプリケーションは、底壁部２０の範囲あるいは底壁部２０の折り片２１〜２４を有する縁ストリップ部の範囲に存在する。折り片２１，２２及び２３は、交差する斜め方向の折り線２７，２８によって画成されている。これらは、材料予定破断箇所、特にミシン目として形成されることができる。折り線２７，２８は、互いに対して鋭角に配置されているとともに、（外側パッケージ１１の完成後）背側のパッケージ角部の範囲において交差する。前側壁部１４に割り当てられるか、あるいはその延長部に配置された覆い片２４は、切断線あるいは打抜き線２９によって側方で画成されている。線状の両打抜き線２９は、前側壁部１４を画成する長手エッジ部２５の延長部へ延びている。
【００１６】
さらに、本実施例においては、前側壁部１４が（装飾的な）造形を備えており、ここではブランク１０の材料の特に外方へ突出する打出し部として形成されたエンブレム３０を備えている（図１）。
【００１７】
１つの特徴は、包装機械の範囲におけるブランク１０の製造である。本実施例（図４）においては、これまでは「ソフトカップパッケージ」の構成であるカップパッケージの製造のための概略的に示された包装機械が重要である。このような包装機械のコア設備は、それぞれ１つのブランク１０及びこのブランク１０を折るための折り装置（大部分は示されていない）のための収容部を有する折りタレット３１である。ここで、収容部は、複数の折り棒３２、すなわち軸平行に配置されつつ断面において長方形状の中空体であり、この折り棒は、外側において折るべきブランク１０を収容するものとなっている。
【００１８】
包装機械には、特別な裁断設備３３が割り当てられている。この裁断設備には、特に板紙帯である材料帯３４が供給される。材料帯３４は、目的に合わせてボビン（不図示）から引き出される。裁断設備３３の範囲においては、複数のブランク１０が互いに並んで材料帯３４から切り離され、処理の後に、包装機械あるいは折りタレット３１へ供給される。
【００１９】
裁断設備３３（図５）は、本質的に、帯ガイド部３５と、材料帯３４からのブランク１０の切り離しのための分離ユニット３６と、アプリケーション設備３７と、ブランク１０を折りタレット３１へ転送するための引渡し設備３８とで構成されている。これらユニットは、機能的に連続して配置されている。
【００２０】
好ましくはパッケージデザインに応じて片側で完全に印刷された材料帯３４は、方向転換ローラ３９を介してエッジ制御部４０へ供給され、この範囲で、連続して搬送される材料帯３４がその長手エッジ部に関して正確に整向される。
【００２１】
これにつづき、材料帯３４は、分離ユニット３６の範囲へ至る。この分離ユニットは、ここでは固定されたカウンタカッター４２を有するカッターローラ４１で構成されている。このように形成された分離装置の前には調整ユニットが設けられており、この調整ユニットは、特に材料帯３４に付された印刷マーカに基づき、印刷に関して正確に分離部分を制御するものである。分離装置の動作に対して調整された材料帯３４の駆動部は、対向する押圧ローラ４４を有する帯ローラ４３で構成されている。帯ローラ４３による帯３４の正確な送り運動は、印刷マーカ読取装置４５によってもたらされ、この印刷マーカ読取装置は、方向転換ローラ４６の範囲において印刷マーカの位置を認識し、制御信号を帯ローラ４３の駆動部へ伝送する。その後、ブランク１０のための分離部分の正確な位置決めが制御される。帯ローラ４３は、印刷マーカ読取装置４５によって制御されたサーボモータ４７によって駆動される。
【００２２】
（完全な）印刷を有するブランク１０は、アプリケーション設備３７へ供給される。分離設備４１，４２につづいて、ここでは吸引ローラとして形成された引渡しローラ４８であるコンベヤによりブランクが受け取られる。ブランク１０が正確な相対位置においてアプリケーション設備３７へ引き渡されることが保証されるよう、この搬送装置も制御される。エッジセンサ４９により、ブランクの分離エッジが検出され、その後、ここでは同様にサーボモータ４７によって、引渡しローラ４８の駆動部が制御される。
【００２３】
アプリケーション設備３７の範囲では、ブランク１０（図３）において異なる材料変形及び打抜きが施される。このために、アプリケーション設備３７は、それぞれのアプリケーションに対応し、ブランク１０の搬送中に変形及び／又は打抜きを施す、異なる複数の工具を備えている。
【００２４】
図５の実施例においては、軸平行で回転する２つの加工工具、すなわち形成ローラあるいは打出しローラ５０及び（搬送方向において後続の）切断ローラ５１が設けられている。打出しローラ５０は周囲に沿って、ここでは軸平行なリブ５２及び周方向に延在するリブ部分５３である複数の突出部を備えている。打出しローラ５０のこの表面形態により、一方では長手エッジ部２５、他方では横方向エッジ部２６の形成のための溝状の変形部あるいは凹部がブランク１０上に生じる。打出しローラ５０は、ここではカウンタローラ５４であるカウンタ部材と協働する。このカウンタローラ５４は、目的に合わせて、平滑な、すなわち打出し部材の範囲において凹部を有さない周面を備えている。これにより、打ち出された材料変形が、本質的にブランク１０（図９）の材料の押圧によってのみ生じる。ブランク１０は、好ましくはアプリケーション設備３７の範囲において、内側がアプリケーション設備、すなわち特に打出しローラ５０に向いているように、及び印刷された外側がカウンタ部材あるいはカウンタローラ５４に密着するように位置決めされている。
【００２５】
次の第２のアプリケーション工具は、分離切断、ミシン目形成又はこれに類するものの実行のための切断工具あるいは打抜き工具である。ブランク（図３）の本形態においては、軸平行あるいは横方向へ向いた切断カッター５５は、打抜き線２９及びミシン目カッター５６の形成のためのものである。これら切断部材あるいは打抜き部材は相対位置において配置されており、この相対位置は、ブランク１０の相応の形状、ここでは底壁部２０の範囲に対応するものである。折り線２７，２８の形成のために、間隔をおいて配置された複数のミシン目カッター５６の対応する複数の列は、各ミシン目線に対して切断ローラ５１の周囲に配置されている。
【００２６】
加工ローラ５０，５１は、形態及び寸法に関して個々のアプリケーションの役割に適合されている。打出しローラ５０は、円筒状のローラ部分５７の範囲においてリブ５２及びリブ部分５３を備えている。ローラ部分５７の外部では、打出しローラ５０の直径が減少されている。これに応じて、切断ローラ５１はここでは縁部に配置された幅の狭いローラ部分５８を備えており、このローラ部分は、外面において切断工具５５，５６を備えている。
【００２７】
複数の部材の運動は、（搬送）速度に関して互いに調和されている。目的に合わせて、引渡しローラ４８は、分離ユニット３６の範囲における材料帯３４より大きな搬送速度で駆動される。ブランク１０を分離ユニット３６から分離させるために、引渡しローラ４８の速度を４％だけ高めるのが合理的である。アプリケーション設備３７の各部材は、ここでも引渡しローラ４８よりも好ましくは８％だけ大きな搬送速度を有している。このことは、図５の実施例において、ローラ５０，５１及び５４の回転速度あるいは搬送速度にも当てはまる。
【００２８】
技術的に取り決められたアプリケーションのほかに、アプリケーション設備３７によって、ここではエンブレム３０である装飾的な変形を生じさせることが可能である。このために、打出しローラ５０の外面には、対応する、エンブレム３０の輪郭を有する突出部５９が配置されている。本実施例においては、対応して形成された凹部６１が、ここではカウンタローラ５４の外面であるカウンタ部材の範囲において打出しローラ５０の突出部５９に割り当てられている。
【００２９】
１つの特徴は、図５、図６に基づく実施例においては、（２つ）のアプリケーション設備５０，５１が共通のカウンタローラ５４に割り当てられていることにある。打出しローラ５０及び切断ローラ５１は、これらがカウンタローラ５４の周方向においてずれをもってこのカウンタローラと協働するように配置されている。協働するローラ５１，５２，５４は、好ましくは個別に、特に中央の機械駆動部へのギヤ式の結合に基づき駆動される。複数のかさ歯車６０が、機械駆動部（主軸）とのそのギヤ式の結合を示すために、象徴的に部材に割り当てられている。
【００３０】
上述のアプリケーションを備えたブランク１０は、個々に、連続してアプリケーション設備３７につづいてブランク路６２に沿って搬送され、供給ローラ６３へ引き渡される。この供給ローラは、吸引ローラとして形成されているとともに、中央の機械駆動部に結合されている。ブランク１０をブランク路６２から引き継いで外側ガイド及び対応する方向転換によって供給ローラ６３の周囲に当接させる中間ローラ６４が手前に配置されている。この中間ローラ６４は、同時にブランクの供給ローラ６３への正確な引渡しのための部材でもある。その結果、この供給ローラは、そこにおいて、折りタレット３１あるいは折り棒３２に合わせられた相対位置を備えている。この目的のために、別のエッジセンサ６５が、ブランク１０の横方向エッジの検知のために中間ローラ６４に割り当てられている。このエッジセンサ６５は、中間ローラ６４のための駆動部としてのサーボモータ４７を制御する。完成したブランクの折りタレット３１への引渡しは、適当かつ公知の方法で行われる。
【００３１】
図７及び図８には、一方では打出しローラ５０の外面の展開図（図７）、他方では切断ローラ５１の外面の展開図（図８）が概略的に示されている。それぞれ、ローラ部分５７，５８の範囲における状況が示されている。図７から、対応する寸法に基づき、打出しローラ５０における周方向において適当な間隔をもった２つのブランク１０が収容されることが分かる。それゆえ、完全な回転においては、２つのブランク１０がアプリケーションに設けられる。切断ローラ５１のローラ部分５８は、対応して形成されているとともに採寸されている（図８）。
【００３２】
ここではローラ５０，５１，５４であるアプリケーション設備の工具あるいは動作手段の形成が図９〜図１２に例示的に示されている。図９には、突出部あるいはリブ５２を有する打出しローラ５０と、平滑面状のカウンタローラ５４の形成が示されている。この代替は図１０に示されている。ここでは、リブ５２に、対応する寸法の、しかし丸められた断面形状を有する溝状の凹部６６が割り当てられている。ブランク１０の材料は、折りエッジ部２５，２６の形成時に、材料のより深い溝の変形及び形成の下で凹部６６へ押圧される。
【００３３】
図１１から、アプリケーション設備５１の切断工具及び打抜き工具が鋭い切断エッジを有するカッター状に形成されていることが分かる。この切断エッジは、カウンタローラ５４の外面に当接するまでブランク１０の材料を完全に貫通する。
【００３４】
図１２には、例えばエンブレム３０の付加のためのブランク１０の打出しのための詳細が示されている。打出しローラ５０の周囲には、型部材６７（取外し可能）が取り付けられている。この型部材は、形成すべき打出し部に合わせて突出部及び凹部を備えている。これに対応して、カウンタローラ５４の外面は、突出部５９あるいは型部材６７に適合する凹部６６を備えている。
【００３５】
図５に基づく装置に対する代替的な構成が図１３に示されている。装置における同一あるいは同類の部材には、同一の符号が付されている。相違は、特にアプリケーション設備３７の形成に関するものである。各アプリケーション設備、すなわち一方では打出しローラ５０、他方では切断ローラ５１には、カウンタローラ６８，６９が割り当てられている。それゆえ、このユニットは、軸平行な４つのローラ５０，５１あるいは６８，６９で構成されている。ブランク１０は、水平方向の経路に沿ってこのように形成されたアプリケーション設備３７を通過して搬送される。材料変形あるいは打出し及び打抜き切断の伝達は、上述同様に進行する。
【００３６】
有利には、全てのアプリケーションの実行は、材料帯３４から分離されたブランク１０においてのものである。しかし、方法技術的な理由から、例えば打出し及び／又は打抜きである個々のアプリケーションを材料帯３４の範囲において行うこと、その他のあるいは大部分のアプリケーションを個々のブランクにおいて行うことも考えられる。
【００３７】
本技術は、パッケージ部分（外側パッケージ）が薄い板紙から成る限り、特にタバコパッケージのための異なる形状のパッケージあるいは箱に適したものである。タバコ用の折り蓋付きの箱も上述のように製造することが可能である。
【符号の説明】
【００３８】
１０            ブランク
１１            外側パッケージ
１２            タバコブロック
１３            帯封
１４            前側壁部
１５            背側壁部
１６            側壁部
１７            縁部片
１８            縁部片
１９            側壁部
２０            底壁部
２１            内側片
２２            中間片
２３            側片
２４            覆い片
２５            長手エッジ部
２６            横方向エッジ部
２７            折り線
２８            折り線
２９            打抜き線
３０            エンブレム
３１            折りタレット
３２            折り棒
３３            裁断設備
３４            材料帯
３５            帯ガイド部
３６            分離ユニット
３７            アプリケーション設備
３８            引渡し部材
３９            方向転換ローラ
４０            エッジ制御部
４１            カッターローラ
４２            カウンタカッター
４３            帯ローラ
４４            押圧ローラ
４５            印刷マーカ読取装置
４６            方向転換ローラ
４７            サーボモータ
４８            引渡しローラ
４９            エッジセンサ
５０            打出しローラ
５１            切断ローラ
５２            リブ
５３            リブ部分
５４            カウンタローラ
５５            切断カッター
５６            ミシン目カッター
５７            ローラ部分
５８            ローラ部分
５９            突出部
６０            かさ歯車
６１            凹部
６２            ブランク路
６３            ガイドローラ
６４            中間ローラ
６５            エッジセンサ
６６            凹部
６７            型部材
６８            カウンタローラ
６９            カウンタローラ
【図１】
2014526400.tif 000003
【図２】
2014526400.tif 000004
【図３】
2014526400.tif 000005
【図４】
2014526400.tif 000006
【図５】
2014526400.tif 000007
【図６】
2014526400.tif 000008
【図７】
2014526400.tif 000009
【図８】
2014526400.tif 000010
【図９】
2014526400.tif 000011
【図１０】
2014526400.tif 000012
【図１１】
2014526400.tif 000013
【図１２】
2014526400.tif 000014
【図１３】
2014526400.tif 000015
【国際調査報告】
2014526400.tif 000016
2014526400.tif 000017
2014526400.tif 000018
2014526400.tif 000019
2014526400.tif 000020
2014526400.tif 000021